(57)【要約】      （修正有）【課題】フェイスボウ・トランスファーにおいて、正中矢状面を基準とした左右対称な理想的咀嚼器を咬合器に具現化するために、上顎歯列模型の位置関係を容易に調整できるバイトフォークを提供する。【解決手段】バイトフォーク１０は、バイト板１２と、バイト板１２を支持する支持板２０と、支持板２０に対してバイト板１２のスライドと回転を可能とするバイト板取付機構とを備えたことを特徴とする。バイト板取付機構は、バイト板１２に開口部１６を設け、開口部１６からネジ１８により支持板にネジ止めする構造である。開口部１６は、バイト板がネジ１８を基準に左右にスライドできるように、横方向に長い形状とする。支持板２０は、バイト板１２がネジ１８を基準に時計方向と反時計方向に回転可能な範囲およびバイト板１２のスライド範囲は平面で形成されている。【選択図】図１
0003181517.tif 000002
【実用新案登録請求の範囲】
【請求項１】
バイト板と、
前記バイト板を支持する支持板と、
前記支持板に対して前記バイト板のスライドと回転を可能とするバイト板取付機構と、
を備えたことを特徴とするバイトフォーク。
【請求項２】
請求項１に記載のバイトフォークにおいて、
前記バイト板取付機構は、前記バイト板に開口部を設け、前記開口部からネジにより前記支持板にねじ止めすること、
を特徴とするバイトフォーク。
【請求項３】
請求項２に記載のバイトフォークにおいて、
前記開口部は、前記バイト板がネジを基準に左右にスライドできるように、横方向に長い形状であること、
を特徴とするバイトフォーク。
【請求項４】
請求項２に記載のバイトフォークにおいて、
前記支持板は、前記バイト板がネジを基準に、時計方向と反時計方向に回転可能な範囲およびスライド範囲は平面であること
を特徴とする歯科用バイトフォーク。
【請求項５】
請求項１に記載のバイトフォークにおいて、
前記バイト板取付機構は、前記支持板に開口部を設け、前記バイト板の孔からネジを通して、前記開口部を覆う大きさのワッシャを介して前記支持板にナットでネジ止めするする構造であること、
を特徴とするバイトフォーク。
【請求項６】
請求項５に記載のバイトフォークにおいて、
前記開口部は、前記バイト板がボルトを基準に左右にスライドできるように、横方向に長い形状であること、
を特徴とするバイトフォーク。
【請求項７】
請求項５に記載のバイトフォークにおいて、
前記支持板は、前記バイト板がネジを基準に、時計方向と反時計方向に回転可能な範囲およびスライド範囲は平面であること
を特徴とする歯科用バイトフォーク。
【請求項８】
請求項１に記載の歯科用バイトフォークにおいて、
前記支持板は、フェイスボウに取り付けるためのアームを備えていることを特徴とする歯科用バイトフォーク。
【考案の詳細な説明】
【技術分野】
【０００１】
本考案は、フェイスボウにセットして、患者の歯型の印象を採取する際に使用するバイトフォークに関する。
【背景技術】
【０００２】
喪失した歯の機能再獲得のために、金属やセラミックス等の人工材料により置換して喪失した口腔機能を補う手段としては、義歯を歯根に被せたり、完全に歯根まで喪失した場合は、健康な歯にブリッジをかけ義歯を置いたり等の治療手段があり、有歯顎、無歯顎を問わず補綴物を間接的に製作したり、口腔内の診断、治療計画を立てる場合に咬合器が用いられている。
【０００３】
義歯等の口腔内に装着する機能的な補綴物を製作し、顎関節の動きと下顎運動の状態を咬合器上に再現させ、患者の咬合に調和させるように補綴物を製作するためには、フェイスボウにより上顎三角をトランスファーする。
【０００４】
このフェイスボウ・トランスファーは、フェイスボウ（顔弓）とバイトフォークを用いて、上顎歯列と解剖学的基準点の三次元的な位置関係を咬合器で再現する操作である。すなわち、咬合器の下顎の開閉軸と顔面上の他の１点によってできる水平基準面に対する生体の上顎歯列の位置関係と咬合器にトランスファーすることである。
【０００５】
フェイスボウ・トランスファーで使用される基準点は、１点の前方基準点と２点の後方基準点である。前方基準点は、眼窩下縁、鼻翼下縁と、上顎右中切歯切端から約４３ｍｍ上方にあるアキシス平面の基準がある。後方基準点は、ヒンジ・ポイント、外耳孔、任意顆頭点と耳珠がある。
【０００６】
しかしながら、この３点を利用し上顎三角をトランスファーすると、患者の顎の形態が多様であるため、生体と咬合器の正中矢状面が合致せず、上顎模型の水平面が傾いてしまい、上下顎歯列位置及び審美的、機能的咬合関係を高精度に調整すること困難となっていた。すなわち、この様な３点を基準としたフェイスボウ・トランスファーにおいては、上顎模型の付着の際、生体の正中矢状面と咬合器の正中矢状面が合致しない、水平面が傾くことの不備により、顔貌要素を考慮することは困難である。
【０００７】
このために、機能的審美的要素の決定装置が提案されている。上顎歯列と両瞳孔間線と口唇線との関係で、両瞳孔間線と左右外耳道を結ぶラインが平行でない場合や、咬合器の上顎弓と上顎歯列が平行になっていても、その上顎歯列が患者の顔面のなかでズレが生じ、審美的にバランスがとれなくなることがある。
【０００８】
そこで、上顎模型の付着の際の咬合器の正中からのズレを修正するために、フェイスボウ・トランスファーの操作の中に、新たに正中線両瞳孔間線審美的咬合平面あるいは必要に応じてリップラインの顔貌要素を加味してフェイスボウ・トランスファーを行うようにしている。審美的咬合平面の決定装置は、咬合器の上顎弓にフェイスボウを着脱自在に装着し、該フェイスボウのイヤーピース附近の位置に、後方基準点位置が上下に調節可能な弓形形状の審美的咬合平面決定用ワイヤを設けている。このような顔貌要素を加味することにより、従来のフェイスボウ・トランスファーでしばしば生じる上顎模型の付着の際の咬合器の正中からのズレを修正することが出来る（特許文献１参照）。
【０００９】
また、咬合器上で、矯正学的分析とスマイルの分析ができる歯科用咬合平面版にバイトフォークを一体化した歯科用フェイスボウを使用して、患者の正確な正中矢状面と顎関節から上顎歯列弓までの距離を同時に咬合器にトランスファーする方法もある。図１７は、バイトフォーク２００と、咬合平面版２０２に正中矢状平面指示板２０４と、左右のイヤーロッド２０６−１，２０６−２が装着された斜面図である。患者の顔面部前方正中と頭蓋骨後方部の正中まで考慮した患者の水平面、前頭面に直交した正中矢状平面を決定する。その後、上下前後左右の可動性を有したイヤーピースを患者の耳に挿入し、固定する。咬合器には左右どちらかの顆頭を代表として使うか、その平均を顎関節からの距離とし、正中矢状平面を重視した装着をする（特許文献２参照）。
【００１０】
患者の正中矢状面及び咬合平面に対して容易に位置合せすることができるバイトフォークを備えた下顎運動測定装置による咬合状態の再現方法の提案もある。図１８は、バイトフォーク２１０を示しており、口内に挿入されるバイト部２１２と口外に配置される露出部２１４を有する。露出部２１４には、歯列の左右中央位置に対応してバイト部２１２を左右方向に略２等分する線を通り、バイト部２１２と直交する基準平面上に配置され、下顎の運動に従動するように患者に対して装着する発信機の孔２１８、正中線を示す指示ピンを配置する穴２２０が備えられている。バイト部２１２の左右には支持部２１６があり、一方の指示部２１６にはサポート板２２２が設けられ、相対変位させることにより、患者の側頭部との位置関係を明確にする（特許文献３参照）。
【００１１】
さらに、審美性基準として顔面の瞳孔線と正中線の少なくともいずれかを、下顎運動を再現させる咬合器上に表示させるために記録するための装置がある。ここで使用されているバイトフォークは、図１９に示すように口腔内に挿入するバイトフォーク本体２３０に設けたアーム２３２に、瞳孔線記録装置２３４と正中線記録装置２３６を設けたものである。アーム２３２は、バイトフォーク本体２３０を取り付ける水平部と、瞳孔線記録装置２３４と正中線記録装置２３８を取り付けるサイドアーム部からなり、瞳孔線記録装置２３４と正中線記録装置２３８は、サイドアーム部の長さ方向にスライド可能である。
【００１２】
瞳孔線記録装置２３４は、ほぼ水平に設けた平板状の瞳孔線記録具２３６を回動可能に支持し、正中線記録装置２３８は、ほぼ垂直に設けた平板状の正中線記録具２４０を回動可能に支持している。これにより、患者の審美基準である瞳孔線や正中線を咬合器に簡単確実に再現させることができる（特許文献４参照）。
【００１３】
正中線のズレや瞳孔線の傾きに対しては、フェイスボウ本体の正面にインデックスピンから垂直に延びたポールに、インデックスピンと常に平行で左右に回動、移動が可能なポールに取り付けた正中線記録具を備え、記録した正中線を咬合器のインサイザルポールに記録して顔面の基準線を再現する方法の提案もある（特許文献５参照）。
【先行技術文献】
【特許文献】
【００１４】
【特許文献１】特開平１０−２９５７０７号広報
【特許文献２】特開２００６−１８７４０７号広報
【特許文献３】特開２００６−３０５１２５号広報
【特許文献４】特開２００５−９５５００号広報
【特許文献５】特開２０１１−８３５６８号広報
【考案の概要】
【考案が解決しようとする課題】
【００１５】
人間の頭蓋の下半分の機能を機械的な構造で再現する咬合器に、フェイスボウを用いて患者と同じ開閉機能をさせるために、上顎模型の水平基準面を咬合器の上顎フレームと平行に設定する。矢状顆路傾斜度は、この面を０度として調整される。左右の後方基準点の中点を通り、水平基準面と直行する矢状面に投影され、矢状角が割り出される。この設定は、運動力学的見地からの設定であり、患者の顔の状態がそのまま設定されているものではなく、審美的な基準とは相違している。このために、補綴物の正中を咬合器の正中に合わせたり、咬合平面を上顎フレームと平行にしたりしても患者の顔の審美とは調和せず、トラブルの原因となっている。
【００１６】
一般に、フェイスボウを用いて患者の顎機能をトランスファーする場合に、フェイスボウの左右にあるサイドアームに設けられたイヤーピースの取り付け位置や、サイドアームの移動により左右のサイドアームの中点が咬合器の正中に来るようにしている。ところが、実際の人間の顔の状態は正中矢状面を基準とした対称形ではなく、左右が非対象に発育しているが実情であり、咬合器の中央が患者の正中と一致することのほうが稀である。
【００１７】
このため、正中矢状軸を示す正中線や瞳孔線といった審美情報をフェイスボウに伝えるメカニズムを付加した様々な構造や方法が試みられているが、前述したように、構造が複雑になったり、使用方法が難しかったりする問題があった。さらに、審美情報は正中矢状軸、瞳孔線に限らず、上下の顎構造の正中が、フェイスボウ中心に対してズレがある場合や傾いている場合があり、これらの審美情報についても考慮する必要があった。
【００１８】
また、解剖学的基準点としては、上顎歯列における１点の前方基準点と２点の後方基準点があり、前方基準点は咬合器のコンダイルの中心と下弓までの１／２を患者の中切歯の切縁から上方へ求め、後方基準点はトランスバース・ホリゾンタルアキシスが顔面の皮膚を通過する点で、これをトランスファーすることで咬合器上に患者の開閉軸を再現する。後方基準点は、目測法によっているが、これは、真のトランスバース・ホリゾンタルアキシスとの誤差が下顎運動と調和した咬合面を構築する場合の影響が少ないことによる。
【００１９】
この基準点にしても、左右のトランスバース・ホリゾンタルアキシス・ポイントの位置が生体の正中矢状面を基準とすると側方的位置や前後的位置が、左右で非対称であることからフェイスボウ・トランスファーの結果として、上顎歯列の正中線は咬合器上では正中の位置になかったり、正中線と直交する水平線は左右の高さが異なったり、傾いたりすることが多い。
【００２０】
これら上顎歯列の顔面正中矢状面からのズレや非対称性は、審美補綴臨床での不備を招くばかりでなく、人体に対して他の組織との整合性が保てなくなり、健康への影響も懸念される。
【００２１】
従って、フェイスボウ・トランスファーにおいては、単に上下顎模型を患者の生体と同じ位置関係に咬合器に固定するだけでなく、理想的咀嚼器を意図した咬合診断・構築がなされなければならない。理想的な咀嚼器とは、適正な位置の下顎位を備え、その状態を維持し、下顎偏位を起こさない咀嚼器であると考えられ、構造的には、正中矢状面を中心として左右対称、左右同高、左右同傾斜であることと考えられる。
【００２２】
本考案は、フェイスボウ・トランスファーにおいて、上顎歯列の高精度なトランスファーを実現する際に、理想的な咀嚼器とするために、咬合器において上顎歯列模型の位置関係を容易に調整できるバイトフォークを提供することを目的としている。
【課題を解決するための手段】
【００２３】
本考案によるバイトフォークは、バイト板と、バイト板を支持する支持板と、支持板に対してバイト板のスライドと回転を可能とするバイト板取付機構とを備えたことを特徴とする。
【００２４】
バイト板取付機構は、バイト板に開口部を設け、開口部からネジによりワッシャーを介して支持板にネジ止めする構造である。開口部は、バイト板がネジを基準に左右にスライドできるように、横方向に長い形状とする。支持板は、バイト板がネジを基準に、時計方向と反時計方向に回転可能な範囲およびスライド範囲は平面で形成されている。
【００２５】
また、バイト板取付機構は、支持板に開口部を設け、バイト板の孔からネジを通して、開口部を覆う大きさのワッシャを介して支持板にナットでネジ止めするする構造であってもよい。この構造においても、開口部は、バイト板がボルトを基準に左右にスライドできるように、横方向に長い形状であり、支持板は、バイト板がネジを基準に、時計方向と反時計方向に回転可能にし、回転可能な範囲およびスライド範囲は平面で形成される。
【００２６】
支持板には、フェイスボウに取り付けるためのアームが備えられている。
【考案の効果】
【００２７】
フェイスボウ・トランスファーは、フェイスボウを使用して、頭蓋の上に空間の３点（後方基準点および前方基準点）を決定する事によって、１つの水平面を作り、その面に対して上顎の審美情報を含めた位置的関係を生体から取り出し、咬合器の上弓にあたる平面と一致させることにより、患者固有の上顎歯列模型の位置的関係を咬合器に移し替えることができる。
【００２８】
このフェイスボウ・トランスファーにおいて、本考案のバイトフォークを使用することにより、咬合器の正中矢状面に上顎模型の正中矢状面を合致させて付着することができる。
【図面の簡単な説明】
【００２９】
【図１】本考案によるバイトフォークＡを示す図。
【図２】本考案によるバイトフォークＢを示す図。
【図３】エステティックフェイスボウ
【図４】基準平面と基準線を説明する図。
【図５】ターミナル・ヒンジ・アキシス・ポイントの垂直的位置が左右同じ高さとならない例を説明する図。
【図６】ＡＢＥ咬合器
【図７】咬合平面診断・設定器具（ＳＨＩＬＬＡ−ＩＩ）
【図８】水平基準指示バー
【図９】咬合平面診断・設定器具（ＳＨＩＬＬＡ−ＩＩ）を側方から見た図。
【図１０】ＡＢＥ咬合器に、咬合平面診断・設定器具（ＳＨＩＬＬＡ−ＩＩ）をセットした状態を示す図。
【図１１】フェイスボウ・トランスファー操作により、バイト板の上顎歯列圧痕が診断テーブル上に配置された例を示す図。
【図１２】本考案によるバイトフォークのバイト板が左右方向に移動する状態を示す図。
【図１３】本考案によるバイトフォークのバイト板がネジを軸として回転する状態を示す図。
【図１４】上顎歯列模型を上顎歯列圧痕に配置した状態を説明する図。
【図１５】上顎模型の正中矢状面と咬合器の正中矢状面を合致させた状態を示す図。
【図１６】上マウンティングプレートに上顎歯列模型を連結した状態を示す図。
【図１７】従来のフェイスボウの一例を示す図。
【図１８】従来のバイトフォークの一例を示す図。
【図１９】バイトフォークに調整機構を設けた従来例を説明する図。
【考案を実施するための形態】
【００３０】
図１は、本考案による歯科用のバイトフォークＡ１０を示している。図１（Ａ）は平面図、（Ｂ）は正面図である。バイトフォークＡ１０は、バイト板１２、支持板２０とアーム１４で構成されている。
【００３１】
バイト板１２は、咬合面の記録材を設置し、上面に上顎歯列の咬合面を印記させるものであり、馬蹄形をした平板である。中心軸は正中線２２がマークされて、正中線２２に直交するように、細長い開口部１６が設けられている。
【００３２】
バイト板１２を支持する支持板２０には、ネジ孔が設けられており、ネジ１８をバイト板１２の開口部を通してネジ孔に入れて締めることにより、支持板２０にバイト板１２が固定される。支持板２０にはアーチ円弧状の連結部を介して、アーム１４が取り付けられている。アーム１４は、フェイスボウの支柱にクランプで固定される。
【００３３】
バイト板１２の開口部１６にネジ１８を介して支持板に取り付けるバイト取付機構は、ネジ１８を緩めることにより、ネジ１８を軸として、バイト板１２が、開口部１６に沿ってスライドし、また、ネジ１８を軸として回転させることができる。この機能が付加されたことで、フェイスボウ・トランスファーによる咬合器への上顎歯列模型のセッティングにおいて、上顎模型の正中矢状面を咬合器の正中矢状面に合致させて、容易にセットすることができる。
【００３４】
図２は、本考案による歯科用のバイトフォークＢ２４を示している。図２（Ａ）は平面図、（Ｂ）は正面図である。バイトフォークＢ２４も、バイトフォークＡ１０と基本的な構成は同じであり、バイト板１２、支持板２０とアーム１４で構成されている。
【００３５】
バイト板１２は、馬蹄形をした平板である。中心軸は正中線２２がマークされ、正中線２２上にネジ孔（図示せず。）が設けられている。
【００３６】
バイトフォークＢ２４では、支持板２０に開口部１６が設けられており、ネジ１８をバイト板１２のネジ孔に通し、支持板２０を両側からワッシャ２６で挟んで、ネジ１６で締める。ここでは、ネジ１８は六角ネジを使用して、ナットで締めている。支持板２０にはアーチ円弧状の連結部を介して、アーム１４が取り付けられている。アーム１４は、フェイスボウにクランプで固定される。
【００３７】
バイト板１２を、バイト板１２のネジ孔にネジ１８を通して、支持板２０の開口部をワッシャ２６で挟んで介して支持板２０に取り付けるバイト取付機構は、ネジ１８を緩めることにより、ネジ１８を軸として、バイト板１２が、支持板２０の開口部１６に沿ってスライドし、また、ネジ１８を軸として回転させることができる。このため、バイトフォークＡ１０と同様に、フェイスボウ・トランスファーによる咬合器への上顎歯列模型のセッティングにおいて、上顎模型の正中矢状面を咬合器の正中矢状面に合致させて、容易にセットすることができる。
【００３８】
本考案によるバイトフォークは、バイト板がバイト板の支持部に対して、スライドと回転が可能で一定の位置で固定される構造を特徴としておりバイト取付機構でのバイト板の固定方法も、ネジである必要は無く他の方法でもよく、図１及び２の構造に限定されるものではない。
【００３９】
本考案によるバイトフォークは、正中矢状面と左右の対称性、同高性を考慮した理想的な咬合面を実現するためのフェイスボウ・トランスファーの術式において効果があり、以下に説明する。
【００４０】
フェイスボウ・トランスファーは、頭蓋に対する上顎歯列の位置関係を計測し、咬合器上に石膏模型を解剖学的に正しく位置づけることを目的として行われる。顎関節に対する上顎歯列の位置関係、すなわち、生体における顆頭点と歯列弓の位置関係を記録し、同じ位置関係で咬合器の開閉軸に対して上顎模型を取りつけるために用いる装置はフェイスボウ（顔弓）と呼ばれている。
【００４１】  このフェイスボウを用いて、咬合器に垂直・水平的に左右対称な咀嚼器像を理想とする考え方に基づき、正中矢状面を基準に採ることを基本とし、左右の咬合平面に対して、生体にとって理想的なバランスである、シンメトリーな咬合を付与することができるシステムとして、（公序良俗違反につき、不掲載）開発されたのが、ＳＨＩＬＬＡシステムである。
【００４２】
ＳＨＩＬＬＡシステムは、エステティックフェイスボウ、正中矢状面分析器具ＳＨＩＬＬＡ−Ｉ、上顎用の咬合平面診断・設定器具ＳＨＩＬＬＡ−ＩＩ、下顎用の咬合湾曲面診断・設定器具ＳＨＩＬＬＡ−ＩＩＩ、およびＡＢＥ咬合器からなっている。このＳＨＩＬＬＡシステムは、株式会社ハーマンズにより製造・販売されており、本考案によるバイトフォークは、ＳＨＩＬＬＡシステムにおいてその使用方法を説明する。なお、バイトフォークは、本考案によるバイトフォークＢ２４を用いて説明するが、バイトフォークＡ１０であっても同じ方法で使用できる。
【００４３】
フェイスボウ・トランスファーの術式としては、まず、本考案によるバイトフォークＢ２４のバイト板１２に上顎歯列の印象を採取する。このために、咬合面の記録材を設置する。そして、咬合面記録材が設置されたバイトフォークＢ２４を、患者の上顎の歯列に圧接し、硬化を待つ。これにより上顎歯列の圧痕がバイト板１２に印記される。
【００４４】
次に、軽く咬合してもらい、フェイスボウをセットして、バイトフォークＢ２４のアーム１４をフェイスボウに固定する。
【００４５】
図３は、フェイスボウとして使用する、エステティックフェイスボウ３０である。スライド式で左右側方的位置移動できるイヤーピース・フェイスボウで患者の生体に合わせて幅を調節し、中央部のスライド固定部４８の手ネジで固定される。フェイスボウ本体の両端部のサイドアームには左右の耳にセットするイヤーピース３４−１、３４−２が設けられ、イヤーピース３４−１、３４−２をセットした場合に、後方基準点であるヒンジアキシスを示すのがヒンジスタイラス３６−１、３６−２である。
【００４６】
また、フェイスボウ本体３１の上面には、正中位置調節機構５０が取り付けられ、正中長軸指示弓４２に取り付けた前後的位置調節桿４６を正中位置調節機構５０により固定する。正中長軸指示弓４２は、前後的位置調節桿４６により矢状的に前後方向に、正中位置調節機構５０により水平方向に移動させ、水平度調節機構４４を調節し、顔面正中長軸に合わせるように調節される。
【００４７】
バイトフォークＢ２４は、バイトフォーク固定垂直ポール３８とバイトフォーク固定水平ポール４０により固定されている。バイトフォーク固定垂直ポール３８は、スライド固定部４８の下方に取り付けられている。
【００４８】
フェイスボウ本体３１の右側のサイドアームには、リファレンスポインタ５２が設けられており、患者の鼻翼点や眼窩下点を基準とするためのポインタとなっている。左側のサイドアーム３２には、水平度調節機構４４が設けられ、正中長軸指示弓４２の垂直軸を顔面正中長軸に合わせるように調節される。正中位置調節機構５０及び水平度調節機構４４を備えているために、外耳道の高さが左右同高でないケースにおいても、正確にトランスファーすることができる。
【００４９】
フェイスボウ・トランスファーは、頭蓋に対する上顎歯列の位置関係（上顎三角）を計測し、上顎歯列模型を咬合器に付着し、再現するまでの一連の操作であるが、上顎歯列の位置関係２点の後方基準点と１点の前方基準点より決まる仮想平面を基準平面としている。
【００５０】
図４は、基準平面と基準線を説明する図である。図４（Ａ）顔面を正面から見た図であり、（Ｂ）は顔面を側面からみて、頭蓋と下顎の位置を示している。基準平面としては、フランクフルト平面５４とカンペル平面５８が多く用いられている。カンペル平面５８は、鼻翼下点と左右の外耳道上縁とを結んだ仮想平面であり、フランクフルト平面５４は外耳道上縁と左右の眼窩下縁とを結んだ仮想平面である。鼻翼下点と左右の外耳道下縁とを結んだ仮想平面がより咬合平面と平行になることからこちらを基準平面とする場合もある。
【００５１】
また、前方基準点を切歯切縁から４３ｍｍ上方とするアキシス平面５６とする場合もある。審美情報としては、瞳孔線６２が用いられる場合もある。さらに、顔面の中心線である正中軸６４は、正中矢状面の基準軸として利用されている。
【００５２】
これらの基準面は仮想平面であり、フェイスボウは、上顎歯列と特定した３点の解剖学基準点との空間的関係を記録し、咬合器にその関係を移し、咬合器の開閉軸に上顎歯列模型を同じ関係で方向づけるのに用いる。顆頭点は、顆頭の代表点として、顆頭部に設定する後方基準点であり、両側面の顆頭点を結ぶ線は、咬合器の開閉軸に対応させる。現在、顆頭点の設定方法は統一されておらず、研究者ごとに独自の定義で設定されているのが現状である。
【００５３】
平均的顆頭点は、解剖学的平均値に基づいて設定された顆頭中心点であり、例えば、ギージーによる耳珠上縁と外眼角を結ぶ線上で外耳道の前方１３ｍｍの点とされているが、研究者によってその位置は異なっている。
【００５４】
また、後方基準点として、ヒンジアキシス上のヒンジアキシス・ポイントを使用することもある。ヒンジアキシスは、下顎の開閉運動の軸として求められたものであり、下顎の矢状面内のすべての運動はヒンジアキシスを解剖学的基準点としている。ただし、下顎の顆路は、前方運動によって記録される顆路と、開口運動によるそれとは、異なつた経路をたどり、後方限界運動という特定な運動から求めた中心であるヒンジアキシス矢状面内のすべての回転中心として普遍化できるものではない。
【００５５】
このため、後方基準点の多くは、目測法により、眼耳平面上で耳珠前方１１〜１３ｍｍに設定している。
【００５６】
基準点が設定されたら、患者の上顎歯列の圧痕が印記されたバイトフォークＢ２４を、患者の口内に挿入し、歯列を圧痕に合わせて噛ませる。エステティックフェイスボウ３１の本体は、スライド固定部４８を緩めておき、バイトフォークＢ２４のアーム１４に、エステティックフェイスボウ３０のバイトフォーククランプを差し込み、イヤーピース３４−１、３４−２を患者の外耳動に挿入し、正中位置調節機構５０で正中を調節し、水平度調節機構４４で顔面正中長軸を調節する。
【００５７】
次に、リファレンスポインタ５２を患者の前方基準点、例えば鼻翼下点に合わせて、フェイスボウ本体３１とリファレンスポインタを固定する。
【００５８】
さらに、バイトフォークＢ２４を、バイトフォーク固定垂直ポール３８とバイトフォーク固定水平ポール４０に、クランプで固定する。
【００５９】
従来のフェイスボウ・トランスファーでは、上顎歯列と基準点との空間的位置関係は記録されるが、実際の人間の顔の状態は正中を基準とした対称形ではなく、左右が非対象に発育している実態にあり、理想的な咀嚼器を考えるとズレが生じているのが実情である。
【００６０】
図５は、患者の左右の耳の位置が水平面になく、上顎のある頭蓋６６に対して下顎のヒンジアキシス６８が上下にずれ、ターミナル・ヒンジ・アキシス・ポイントの垂直的位置が左右同じ高さとならない例を示している。顔面６２の両側面にあるヒンジアキシス６８の高さが左右で異なり、耳の位置も左右で高さが異なっている。このため、イヤーピース７２を外耳道７６に挿入すると、フェイスボウ７０が傾いてしまい、フェイスボウ７０を、後方基準点を活用してフェイスボウ・トランスファーを行うと、フェイスボウ７０の平面が、正中軸６４から傾いてしまう。このことを回避するには、生体の正中矢状面を咬合器にトランスファーする必要がある。生体の正中矢状面をトランスファーできれば、それと直交する水平面はおのずと出現する。
【００６１】
このため、生体では正中矢状面と直交した上顎歯列７４の咬合平面６０をフェイスボウ・トランスファーして上顎模型を咬合器付着すると咬合平面６０は傾いてしまい、正確に生体の正中矢状面と咬合器の正中矢状面を合致させたトランスファーが咬合器に行われなくなってしまう。
【００６２】
この傾斜に対して、左右の高さ方向のズレは、図３で示したエステティックフェイスボウ３０では、サイドアーム３２に設けられている水平度調整機構４４により調節して、正中線６４と合致するように設定することができる。
【００６３】
しかしながら、側方的方向のズレは、フェイスボウ・トランスファーを行う場合に、左右のトランスバース・ホリゾンタルアキシスが、正中矢状面を中心に前額面観での側方的位置、矢状面観での前後的位置が左右対称ではないために、生体の正中は咬合器の正中と一致せず、審美学的基準は、咬合器上で消失することとなる。このために、フェイスボウを咬合器へセットする際に、理想的な咀嚼器を意図した咬合平面を具現化し、設定することが必要となる。
【００６４】
上顎の前方基準点と後方基準点がエステティックフェイスボウ３０に記録されたら、エステティックフェイスボウ３０を口腔外へ取り出し、咬合器へのトランスファー操作に移る。
【００６５】
図６は、ＡＢＥ咬合器を示している。ＡＢＥ咬合器８０のアッパーフレーム９０には、上顎用歯列模型を装着する上マウンティングプレート８６が備えられ、マウンティングプレート保持機構１００により保持されている。また、ＡＢＥ咬合器８０の下方位置にも、アンダーフレーム９２に下顎用歯列模型を装着する下マウンティングプレート８８が備えられている。
【００６６】
アッパーフレーム９０の最前方部には、垂直方向にインサイザルポール８２が取り付けられている。インサイザルポールは、ＡＢＥ咬合器８０の正中に設けられている。インサイザルポール８２の下端部は針形状となっており、切歯指導板８４に接している。切歯指導板８４はアンダーフレーム９２の最前方部に設置し、インサイザルポール８２を誘導して顎間距離を保持し、矢状および側方切歯路を再現する。
【００６７】
切歯指導板８４は、処方角設定済みインサイザルテーブル、メカニカルインサイザルテーブルと即時重合レンジを用いて各個調製できるインサイザルテーブルの３種類を備えている。
【００６８】
処方角設定済みインサイザルテーブルは、下顎運動のシミュレータとしてゼロホビー咬合器の機能を付加するものであり、意図する咬合様式に対応できるよう処方角が設定されている。処方角設定済みインサイザルテーブルは、前面が矢状傾斜角２５度、後面が矢状傾斜角４５度となっており、有歯顎において臼歯離開咬合を付与する場合は前者を、総義歯に対して両側性平衡咬合を付与する場合は後者を利用する。
メカニカルインサイザルテーブルは、意図するアンテリアガイダンスを付与し調節することができ、また、プロビジョナルレストレーションで漕ぎ着けた咬合関係でのアンテリアガイダンスを矢状的、側方的に評価することができる。即時重合レンジを用いた各個調製法によるインサイザルテーブルは、機能的運動経路における習慣性咬合関係のアンテリアガイダンス、あるいはプロビジョナルレストレーションで漕ぎ着けた咬合関係でのアンテリアガイダンスを、平坦なインサイザルテーブルの上に即時重合レジンを用いて、各個調製法で調製できる。
【００６９】
アンダーフレーム９２の後方両側にはサイドフレーム１０４があり、上部の軸には、顆頭ロッド９４、セントリッククラッチ１０２、矢状顆路と側方顆路を調整し記録する側方顆路指導機構９６と矢状顆路指導機構９８が設けられている。顆頭ロッド９４は、フェイスボウ・トランスファーに際しての後方基準点となる。
【００７０】
側方顆路指導機構９６は、非作業側側方顆路指導機構と作業側側方顆路指導機構とで構成され、非作業側側方顆路指導機構は０〜９０°、作業側側方顆路指導機構は前方３０°〜後方３０°の可変機構が設けられ、広いベネット角、ベネット運動に対応できる。
【００７１】
ＡＢＥ咬合器８０は、下顎運動のみではなく咀嚼機能時の機能運動路を忠実に再現でき、ＡＢＥ咬合器８０へのフェイスボウ・トランスファーによる上顎模型の付着は、垂直・水平的に左右対称な咀嚼器像を理想とする考え方に基づき、正中矢状面を基準に採ることを基本としている。
【００７２】  理想的な咀嚼器は、咬合平面が左右同高、同傾斜、咬合接触が均衡、歯列が左右対称、顎運動が前方運動では真前方へ、側方運動では左右対称に、スマイルラインが口唇に平行で歯軸が左右対称、そして咬合様式はミューチャリープロテクテッドオクルージョンであることと考えられる。ミューチャリープロテクテッドオクルージョンは、（公序良俗違反につき、不掲載）が提唱した理想咬合様式であり、中心咬合位では臼歯が咬合して前歯はわずかに離開して保護され、前方運動では前歯が咬合して臼歯を保護し、側方運動では犬歯が前・臼歯を保護すること、すなわち、側方運動時には犬歯のみが咬合し臼歯は離開する様式である。
【００７３】
この理想的な咀嚼器実現のために、ＳＨＩＬＬＡシステムは、頭蓋の正中矢状面を分析し、それを基準に咬合器付着を行い、直交する面を咬合器上で具現化して咬合平面を診断構築する、正中矢状面を基本とする技法である。
【００７４】
正中矢状面を記録採取する方法は、上顎歯列模型を使用して正中矢状面分析器具（ＳＩＬＬＡ−Ｉ）で分析採取する方法と、顔面の正中長軸をエステティックフェイスボウで記録方法があるが、どちらの方法でも咬合平面診断・設定器具（ＳＨＩＬＬＡ−ＩＩ）は必ず使用する。ここでは、エステティックフェイスボウ３０を使用したフェイスボウ・トランスファーでの記録方法を説明する。
【００７５】
図７は、咬合平面診断・設定器具（ＳＨＩＬＬＡ−ＩＩ）１１０である。咬合器に取り付けるための取付台１１２と、取付台１１２の中央部には支柱１１４があり、支柱１１４には診断テーブル１１６が載置されている。
【００７６】
診断テーブル１１６は、台形の平板で、正中線を中心に左右各６本、前後的に７本の歯列ガイドライン１１８が刻印されている。正中線を示す２本の正中指導羅針１２０−１，１２０−２は、診断テーブル１１６の正中線に正中溝１２２を設けて前後方向に移動可能とし、診断テーブル１１６に対して垂直方向に配置されている。歯列ガイドライン１１８は、有歯顎・無歯顎にかかわらず、歯列の診査・診断、構築、人工歯排列に際し、正中、ならびに側方的かつ前後的な左右対称のガイドとなる。
【００７７】
図８は、水平基準指示バー１３０であり、上顎歯列模型のハミュラーノッチ部に設定された水平基準点支持する。上顎歯列模型の前後的位置、垂直高経の調節は２本の正中指導羅針１２−１，１２０−２で行われる。このバーは、正中矢状面分析器具（ＳＩＬＬＡ−Ｉ）を用いて上顎模型を分析後に咬合平面診断・設定器具（ＳＨＩＬＬＡ−ＩＩ）上に設置し、使用する。
【００７８】
図９は、咬合平面診断・設定器具（ＳＨＩＬＬＡ−ＩＩ）１１０を側方から見た図である。取付台１１２には、矢状的正中調節・設定機構１２４があり、咬合平面診断・設定器具１１０の正中矢状面を、ＡＢＥ咬合器８０の正中矢状面と合致させる。診断テーブル１１６は、上下昇降調節・固定機構１２６により高さが調節され、矢状傾斜可変・固定機構１２８により矢状傾斜が調節される。
【００７９】
このように、咬合平面診断・設定器具１１０は、垂直座標、水平座標、矢状座標、側方座標及び前後座標の５つの座標を設定でき、３次元的に生体と同じ座標関係の下における咬合器の空間が具現化でき、ＳＨＩＬＬＡシステムの特徴となっている。
【００８０】
図１０は、ＡＢＥ咬合器８０に、咬合平面診断・設定器具（ＳＨＩＬＬＡ−ＩＩ）１１０をセットした状態を示している。この図は、ＡＢＥ咬合器８０のアッパーフレーム９０を取り外した状態である。顆頭球ホールドアーム１３４の両側端には、軸により顆頭球１３６が取り付けられ、軸の一方の端部は、顆頭ロッド９４となっている。顆頭球１３６は、顆路運動の基準点となる。
【００８１】
咬合平面診断・設定器具（ＳＨＩＬＬＡ−ＩＩ）１１０は、取付台１１２をアンダーフレーム９２へセットする。セットされた咬合平面診断・設定器具（ＳＨＩＬＬＡ−ＩＩ）１１０は、矢状的正中調節・固定機構１２４を調節し、ＡＢＥ咬合器８０の正中矢状面に対し、咬合平面診断・設定器具（ＳＨＩＬＬＡ−ＩＩ）１１０の正中矢状面を合致させる。
【００８２】
次に、エステティックフェイスボウ３０を、ＡＢＥ咬合器８０にセットして、トランスファー操作を行う。このとき、左右のヒンジスタイラス３６−１，３６−２がＡＢＥ咬合器８０の顆頭球ロッド９４に適合するように、スライド固定部４８を緩めて調節する。この時、スライド固定部４８を緩めてもフェイスボウ本体３１が開かないように、左右のイヤーピース部に輪ゴムをかけておく。
【００８３】
正中長軸指示弓４２がＡＢＥ咬合器８０の正中長軸と一致した状態に位置するために、水平度調節機構４４を利用して正中長軸指示弓４２を直立させる。この時点で、生体の正中顔面長軸とＡＢＥ咬合器８０の正中長軸が合致するか平行な状態となった為、フェイスボウ本体３１から正中長軸指示部を外す。前方の正中、後方の正中を記録した上顎模型をバイトフォークＢ２４のバイト板１２の上に載せた咬合面記録材の圧痕にあわせて置く。この時、上顎模型に記録した後方の正中にはラウンドバーなどで穴を掘っておく。
【００８４】
次にスライド固定部４８をスライドさせて、咬合平面診断・設定器具（ＳＨＩＬＬＡ−ＩＩ）の後方の正中溝に設置した正中指導羅針１２０−１，１２０−２で、上顎模型の後方の正中に記録した穴を支持する。
バイトフォークＢ２４の下面には、キャスト・サポートとしても機能する咬合平面診断・設定器具（ＳＨＩＬＬＡ−ＩＩ）１１０が配置されているので、バイト板１２の裏面が診断テーブル１１６に接するように、診断テーブル１１６の高さ、傾斜を調節する。
【００８５】
図１１は、フェイスボウ・トランスファー操作により、バイト板１２の上顎歯列圧痕１３８が診断テーブル１１６上に配置された例である。正中指示バー１４０は、ＡＢＥ咬合器８０の正中、即ち、診断テーブル１１６の正中を示している。次に、上顎模型の正中矢状面をＡＢＥ咬合器８０の正中矢状面に合致させるのに、上顎歯列模型を上顎歯列圧痕１３８に配置して調整するときに、上顎歯列模型のスライドと回転動作が要求される。このとき、本考案によるバイトフォークＢ２４を使用して調整される。
【００８６】
図１２は、本考案によるバイトフォークＢ２４のネジ１８を緩めて、バイト板１２が左右方向に移動する状態を示している。
【００８７】
図１３は、本考案によるバイトフォークＢ２４のネジ１８を緩めて、バイト板１２がネジ１８を軸として回転する状態を示している。
【００８８】
この図で示したように、本考案のバイトフォークＢ２４によれば、バイト板取付機構のネジ１８を緩めることによって、バイト板１２の左右へのスライドと回転が自由にでき、上顎歯列の位置を容易に調整できる。
【００８９】
図１４は、上顎歯列模型１４２を上顎歯列圧痕１３８に配置した後に、バイト板１２と支持板１４の固定を緩めている状態を示している。ネジ１８は、具体的には六角穴付ボルトであり、六角ナットともに使用している。このため、六角穴に六角レンチ１４４を差し込み、図１４において矢印で示したように回転させ、バイト板１２の支持板１４への固定を緩める。この操作により、上顎歯列圧痕１３８に配置された上顎歯列模型１４２は、左右にスライドでき、六角穴付ボルトを軸に回転可能となる。
【００９０】
図１５は、バイト板１２に配置された上顎歯列模型１４２を上顎模型の後方の正中に記録した穴を支持した正中矢状羅針１２０−１を中心に、スライド、回転させ、上顎模型の正中矢状面とＡＢＥ咬合器８０の正中矢状面を合致させた状態である。正中指示バー１４０が、上顎歯列模型１４２の正中矢状面に一致している。咬合平面診断・設定器具（ＳＨＩＬＬＡ−ＩＩ）１１０の正中矢状面はＡＢＥ咬合器８０の正中矢状面と合致させてあり、咬合平面診断・設定器具（ＳＨＩＬＬＡ−ＩＩ）１１０はキャスト・サポートとして使用している。
【００９１】
この操作の後、上顎歯列模型１４２とＡＢＥ咬合器８０の上マウンティングプレート８６を連結するために、アッパーフレーム９０を開いて、上顎歯列模型１４２の上部に石膏を練和して盛り上げる。上顎歯列模型１４２の上部に石膏を盛り上げた後、アッパーフレーム９０を閉じて、上マウンティングプレート８６に上顎歯列模型１４２を連結する。石膏が乾くと、上マウンティングプレート８６と上顎歯列模型１４２が固着する。
【００９２】
図１６は、上マウンティングプレート８６に上顎歯列模型１４２を連結した状態である。石膏が硬化後に、バイトフォークＢ２４ともにエステティックフェイスボウ３０を取り外す。この状態が、ＡＢＥ咬合器８０上に、患者の上顎の正中矢状面と顎関節の位置関係を再現している。
【００９３】
下顎歯列模型は、下顎歯列模型咬合平面に対して湾曲面所見からの診断・構築を目的として、咬合湾曲診断・設定器具（ＳＨＩＬＬＡ−ＩＩＩ）により調節される。咬合平面診断・設定器具（ＳＨＩＬＬＡ−ＩＩ）１１０と同様に、垂直座標、水平座標、矢状座標、側方座標及び前後座標の５つの座標を設定でき、咬合器の空間に具現化される。
【００９４】
下顎歯列模型は顎間関係記録を介して石膏を使用して上顎歯列模型と同様の手順で、咬合器に付着することで、咬み合わせ状態を再現できる。
【００９５】
下顎模型は上顎模型に対して咬合採得の結果として正しく咬合器へ付着できるので、上顎模型顆頭点を基準として、生体と同じ位置関係で咬合器にトランスファーすることが重要になってくる。咬合器は生体の顎のシュミュレーターである。したがって咬合器の関節部と模型との位置関係は、生体での顎関節と顎との位置関係に近似することが望まれる。このような考え方に立てば、咬合器の大きさ、構造、機能にもそれなりのものが要求されることになる。生体での顎関節と顎との位置関係の記録は、一般にフェイスボウで行われる。このフェイスボウの記録には、少なくとも、左右の顎関節部を想定した２点と上顎の位置を同時に写し込んだ歯列咬合面の印記とがある。関節部を想定した指示桿の目盛自体はそのまま利用できないが、ここには上顎三角の近似値が記録されている。
【００９６】  また、下顎三角（Ｍａｎｄｉｂｕｌａｒ  ｔｒｉａｎｇｌｅ）は（公序良俗違反につき、不掲載）とも呼ばれ、左右の下顎頭の上面中央と、左右の下顎切歯近心切端隅角間の中点とを結んでできる三角形である。下顎三角の計測値は咬合器に利用され、ボンウィル自身咬合器を作り、咬合器の顆頭間距離を１０ｃｍとしており、その後のほとんどの咬合器においても、顆頭間距離は１０ｃｍに近い値に設定されている。
【００９７】
上顎三角が計測されたら、フェイスボウを口腔外へ取り出し、咬合器へのトランスファー操作に移る。フェイスボウのヒンジスタイラスが咬合器の顆頭球の適合するように調節する。フェイスボウのヒンジスタイラスを左右等距離ずつ移動させ、咬合器の顆頭球にぴったりと適合させる。左右の移動量は必ず等しくさせる必要があり、さもないと記録された正中と咬合器の正中がずれてしまうので注意を要するとされてきたが、生体のターミナル・ヒンジ・アキシスは左右対称、同高の位置にないため、左右等距離を移動すると咬合器の正中と模型に記録された正中は合致しない。よって、生体の正中矢状面と咬合器の正中矢状面を合致させるには、模型を直立・移動・回転できる機構が必要である。すなわち、この機構を活用してフェイボウトランスファー時に若干の補正が必要である。バイトフォークの下面にキャスト・サポートをおき、バイトフォークの圧痕に上顎模型を適合させ、咬合器に固着すれば、フェイスボウ・トランスファーは完了する。
【００９８】
以上、補綴臨床において正中矢状面を基準として左右対称で理想的な咀嚼器を実現するＳＨＩＬＬＡシステムにおいて、本考案のバイトフォークと、その使用方法について説明したが、本考案はその目的と利点を損なうことのない適宜の変形を含み、更に、上記の実施形態よる限定は受けない。
【符号の説明】
【００９９】
１０  バイトフォーク
１２  バイト板
１４  アーム
１６  開口部
１８  ネジ
２０  支持板
２２  正中線
２４  バイトフォークＢ
２６  ワッシャ
３０  エステティックフェイスボウ
３１  フェイスボウ本体
３２  サイドアーム
３４−１，３４−２  イヤーピース
３６−１，３６−２  ヒンジスタイラス
３８  バイトフォーク固定垂直ポール
４０  バイトフォーク固定水平ポール
４２  正中長軸指示弓
４４  水平度調節機構
４６  前後的位置調節桿
４８  スライド固定部
５０  正中位置調節機構
５２  リファレンスポインタ
５４  フランクフルト平面
５６  アキシス平面
５８  カンペル平面
６０  咬合平面
６２  瞳孔線
６４  正中軸
６６  頭蓋
６８  下顎
７０  フェイスボウ
７２  イヤーピース
７４  上顎歯列
７６  外耳道
８０  ＡＢＥ咬合器
８２  インサイザルポール
８４  切歯指導板
８６  上マウンティングプレート
８８  下マウンティングプレート
９０  アッパーフレーム
９２  アンダーフレーム
９４  顆頭ロッド
９６  側方顆路指導機構
９８  矢状顆路指導機構
１００  マウンティングプレート保持機構
１０２  セントリッククラッチ
１０４  サイドフレーム
１１０  咬合平面診断・設定器具（ＳＨＩＬＬＡ−ＩＩ）
１１２  取付台
１１４  支柱
１１６  診断テーブル
１１８  歯列ガイドライン
１２０−１，１２０−２  正中指導羅針
１２２  正中溝
１２４  矢状的正中調節・固定機構
１２６  上下昇降調節・固定機構
１２８  矢状傾斜可変・固定機構
１３０  水平基準支持バー
１３４  顆頭球ホールドアーム
１３６  顆頭球
１３８  上顎歯列圧痕
１４０  正中指示バー
１４２  上顎歯列模型
１４４  六角レンチ
【図１】
0003181517.tif 000003
【図２】
0003181517.tif 000004
【図４】
0003181517.tif 000005
【図１２】
0003181517.tif 000006
【図１３】
0003181517.tif 000007
【図１７】
0003181517.tif 000008
【図１８】
0003181517.tif 000009
【図１９】
0003181517.tif 000010
【図３】
0003181517.tif 000011
【図５】
0003181517.tif 000012
【図６】
0003181517.tif 000013
【図７】
0003181517.tif 000014
【図８】
0003181517.tif 000015
【図９】
0003181517.tif 000016
【図１０】
0003181517.tif 000017
【図１１】
0003181517.tif 000018
【図１４】
0003181517.tif 000019
【図１５】
0003181517.tif 000020
【図１６】
0003181517.tif 000021
【手続補正書】
【提出日】平成24年12月5日(2012.12.5)
【手続補正１】
【補正対象書類名】明細書
【補正対象項目名】００４１
【補正方法】変更
【補正の内容】
【００４１】
このフェイスボウを用いて、咬合器に垂直・水平的に左右対称な咀嚼器像を理想とする考え方に基づき、正中矢状面を基準に採ることを基本とし、左右の咬合平面に対して、生体にとって理想的なバランスである、シンメトリーな咬合を付与することができるシステムとして開発されたのが、ＳＨＩＬＬＡシステムである。
【手続補正２】
【補正対象書類名】明細書
【補正対象項目名】００７２
【補正方法】変更
【補正の内容】
【００７２】
理想的な咀嚼器は、咬合平面が左右同高、同傾斜、咬合接触が均衡、歯列が左右対称、顎運動が前方運動では真前方へ、側方運動では左右対称に、スマイルラインが口唇に平行で歯軸が左右対称、そして咬合様式はミューチャリープロテクテッドオクルージョンであることと考えられる。ミューチャリープロテクテッドオクルージョンは、理想的な咬合様式として提唱されており、中心咬合位では臼歯が咬合して前歯はわずかに離開して保護され、前方運動では前歯が咬合して臼歯を保護し、側方運動では犬歯が前・臼歯を保護すること、すなわち、側方運動時には犬歯のみが咬合し臼歯は離開する様式である。
【手続補正３】
【補正対象書類名】明細書
【補正対象項目名】００９６
【補正方法】変更
【補正の内容】
【００９６】
また、下顎三角（Ｍａｎｄｉｂｕｌａｒ  ｔｒｉａｎｇｌｅ）は、左右の下顎頭の上面中央と、左右の下顎切歯近心切端隅角間の中点とを結んでできる三角形である。下顎三角の計測値は咬合器に利用され、咬合器の顆頭間距離を１０ｃｍとしており、その後のほとんどの咬合器においても、顆頭間距離は１０ｃｍに近い値に設定されている。